(57)【要約】【課題】複数のテレビジョン受信装置をＨＤＭＩ  ＣＥＣ  ネットワークで接続し、１台のテレビジョン受信装置を操作している感覚で、複数のテレビジョン受信装置を操作でき、単体で使用する場合よりも高機能を実現するテレビジョン受信システムを提供する。【解決手段】複数台のテレビジョン受信装置をＨＤＭＩ規格に準拠したＨＤＭＩケーブルを介して接続したテレビジョン受信システムであって、ＨＤＭＩ規格上テレビジョンと認識されるテレビジョン受信装置（以下メインＴＶ）であるか、あるいは、テレビジョン以外の機器と認識されるテレビジョン受信装置（以下サブＴＶ）であるかのいずれかを、前記複数台のテレビジョン受信装置のそれぞれに設定可能とするとともに、前記ＨＤＭＩケーブルで前記サブＴＶを前記メインＴＶに登録し、前記メインＴＶからＣＥＣコマンドによって前記サブＴＶを制御可能にする。【選択図】図２
2008079168.tif 000002
【特許請求の範囲】
【請求項１】
複数台のテレビジョン受信装置をＨＤＭＩ規格に準拠したＨＤＭＩケーブルを介して接続したテレビジョン受信システムであって、ＨＤＭＩ規格上テレビジョンと認識されるテレビジョン受信装置（以下、メインＴＶという）であるか、あるいは、テレビジョン以外の機器と認識されるテレビジョン受信装置（以下、サブＴＶという）であるかのいずれかを、前記複数台のテレビジョン受信装置のそれぞれに設定可能とするとともに、前記ＨＤＭＩケーブルで前記サブＴＶを前記メインＴＶに登録し、前記メインＴＶからＣＥＣコマンドによって前記サブＴＶを制御可能にしたことを特徴とするテレビジョン受信システム。
【請求項２】
請求項１に記載のテレビジョン受信システムにおいて、前記メインＴＶと前記サブＴＶとを交代可能にしたことを特徴とするテレビジョン受信システム。
【請求項３】
請求項１または２に記載のテレビジョン受信システムにおいて、前記メインＴＶで２画面以上の表示があるときには、該メインＴＶの主画面を該メインＴＶに表示し、他の画面を前記サブＴＶに表示することを特徴とするテレビジョン受信システム。
【請求項４】
請求項３に記載のテレビジョン受信システムにおいて、前記メインＴＶの静止画面を前記サブＴＶに表示することを特徴とするテレビジョン受信システム。
【請求項５】
請求項３に記載のテレビジョン受信システムにおいて、前記メインＴＶの字幕を前記サブＴＶに表示することを特徴とするテレビジョン受信システム。
【請求項６】
請求項１または２に記載のテレビジョン受信システムにおいて、前記複数のテレビジョン受信装置の全体に、前記メインＴＶの拡大映像を表示することを特徴とするテレビジョン受信システム。
【発明の詳細な説明】
【技術分野】
【０００１】
本発明は、テレビジョン受信システムに関し、具体的には、複数のテレビジョン受信装置をＨＤＭＩネットワークによって接続したテレビジョン受信システムに関する。
【背景技術】
【０００２】
複数台のテレビジョン受信装置で異なる入力（放送や映像）を視聴する場合、各テレビジョン受信装置に対応するリモコンでそれぞれのテレビジョン受信装置を操作している。通常、同一メーカの同一カテゴリ機器の場合、同一リモコンコードが用いられるが、これでは一方の操作が他方にも影響を与えることになるため、付属のリモコンにリモコンコードを例えば、「ＴＶ  Ａ」や「ＴＶ  Ｂ」のように切換可能なものもある。
【０００３】
また、特許文献１や２のように、複数台のテレビジョン受信装置をマトリクス状やピラミッド状に接続し、単体で使用する場合よりも高機能を実現することができるスケーラブルＴＶシステムがある。
特許文献１では、１台のテレビジョン受信装置を親機、その他のテレビジョン受信装置を子機として、ＩＥＥＥ１３９４ネットワークで接続し、親機のテレビジョン受信装置の映像に対して、部分的に拡大・縮小した映像を子機で表示したり、動きのほとんどないシーンを子機で表示できるようにしている。
さらに、特許文献２では、親機と子機全体の画面を１つの画面として、親機の映像を拡大して表示することができるようにしている。
【０００４】
ところで、最近、次世代テレビ向けのデジタルインタフェース規格として、ＨＤＭＩ(High-Definition Multimedia Interface)の規格が確立された（非特許文献１参照）。このＨＤＭＩは、ＤＶＩ（Digital Visual Interface）に音声伝送機能や著作権保護機能、色差伝送機能を加えるなどＡＶ機器向けにアレンジしたものである。従来、機器間の接続に映像・音声・制御の各信号用に複数のケーブルを用いていたが、ＨＤＭＩではＨＤＭＩケーブル１本で済み、わずらわしかったＡＶ機器の配線を簡略化できるというメリットがある。
【０００５】
また、物理層にはＴＭＤＳ（Transition Minimized Differential Signaling）が、不正防止機能としてはＨＤＣＰ（High-bandwidth Digital Contents Protection）が、機器間認証にはＥＤＩＤ（Extended Display Identification Data）が、系全体の制御系接続にはＣＥＣ（Consumer Electronics Control）が採用されている。このＣＥＣによって、例えば、テレビからＨＤＭＩで接続されたＳＴＢ（Set-Top Box）やＤＶＤプレーヤ等のＡＶ機器に制御信号を中継することによって、一つのリモコンでＡＶシステム全体を操作することが可能になっている。
【０００６】
このうちＣＥＣについては、ＨＤＭＩ規格書のＳｕｐｐｌｅｍｅｎｔ１に説明されており、ＣＥＣに使用できる推奨された機能と、電気特性、信号とビットタイミング、ヘッダ／データブロックなどの定義と、デバイス間の通信に対する規約等の説明がされている。
【特許文献１】特開２００４−２８９８６６号公報
【特許文献２】特開２００３−１９８９８９号公報
【非特許文献１】Hitachi,Ltd、他“High-Definition Multimedia Interface Specification Version1.3”、［ｏｎｌｉｎｅ］、２００６年６月２２日、HDMI Licensing,LLC［平成１８年６月２９日検索］、インターネット＜ＵＲＬ：http://www.hdmi.org/manufacturers/download.asp＞
【発明の開示】
【発明が解決しようとする課題】
【０００７】
上記の特許文献１および２は、ＩＥＥＥ１３９４ネットワークを使用するものであり、ＨＤＭＩネットワークに関するものではない。
また、ＨＤＭＩネットワークにおいては、ＨＤＭＩ  ＣＥＣ  ネットワーク内に存在する複数のテレビジョン受信装置を接続して、単体で使用する場合よりも高機能を実現する手段はまだ確立されていない。
【０００８】
本発明は、上述の実情を考慮してなされたものであって、複数のテレビジョン受信装置をＨＤＭＩ  ＣＥＣ  ネットワークで接続し、１台のテレビジョン受信装置を操作している感覚で、複数のテレビジョン受信装置を操作でき、単体で使用する場合よりも高機能を実現するテレビジョン受信システムを提供することを目的とする。
【課題を解決するための手段】
【０００９】
上記の課題を解決するために、本発明は、複数台のテレビジョン受信装置をＨＤＭＩ規格に準拠したＨＤＭＩケーブルを介して接続したテレビジョン受信システムであって、ＨＤＭＩ規格上テレビジョンと認識されるテレビジョン受信装置（以下メインＴＶという）であるか、あるいは、テレビジョン以外の機器と認識されるテレビジョン受信装置（以下、サブＴＶという）であるかのいずれかを、前記複数台のテレビジョン受信装置のそれぞれに設定可能にするとともに、前記ＨＤＭＩケーブルで前記サブＴＶを前記メインＴＶに登録し、前記メインＴＶからＣＥＣコマンドによって前記サブＴＶを制御可能にしたことを特徴とするものである。
【００１０】
このテレビジョン受信システムでは、次のような操作が可能である。
（１）前記メインＴＶと前記サブＴＶとを交代可能にする。
（２）前記メインＴＶで２画面以上の表示があるとき、例えば、マルチ画面表示である場合、動画と静止画とがある場合、あるいは、動画と字幕とがある場合には、該メインＴＶの主画面を該メインＴＶに表示し、他の画面を前記サブＴＶに表示する。
（３）前記複数のテレビジョン受信装置の全体に、前記メインＴＶの拡大映像を表示する。
【００１１】
また、上述した構成のテレビジョン受信システムとして、コンピュータを機能させるためのプログラムを作成しておき、または、そのプログラムをコンピュータ読み取り可能な記録媒体に記録しておき、このプログラムをテレビジョン受信装置に備えられたコンピュータで実行することによっても上記課題を解決することができる。
【発明の効果】
【００１２】
本発明によれば、複数のテレビジョン受信装置をＨＤＭＩ  ＣＥＣ  ネットワークで接続し、１台のテレビジョン受信装置を操作している感覚で、複数のテレビジョン受信装置を操作でき、単体で使用する場合よりも高機能を実現することができる。
【発明を実施するための最良の形態】
【００１３】
以下、図面を参照して本発明のテレビジョン受信システムに係る好適な実施形態について説明する。
図１は、本実施形態に係るテレビジョン受信システムの例である。このテレビジョン受信システムは、ＨＤＭＩ規格（非特許文献１参照）に準拠した複数のテレビジョン受信装置がＨＤＭＩ規格に準拠したＨＤＭＩケーブルを介して接続されている。
また、本実施形態では、複数のテレビジョン受信装置をＨＤＭＩケーブルで接続したものを例に説明するが、勿論、複数のテレビジョン受信装置以外のＡＶ機器を接続しておいても構わない。
【００１４】
また、このＨＤＭＩケーブルは、デジタル映像信号およびデジタル音声信号だけではなく、ＣＥＣプロトコルよる制御信号も送受信される。以下、このように、ＨＤＭＩ規格に準拠したテレビジョン受信装置をＨＤＭＩケーブルで接続し、ＣＥＣプロトコルによって各テレビジョン受信装置を制御するネットワークを、ＨＤＭＩネットワークと呼ぶことにする。
【００１５】
図１（Ａ）では、ｎ台のテレビジョン受信装置を直列状に配置した構成であり、図（Ｂ）では、ｍ×ｎ台のテレビジョン受信装置を矩形状に配置した構成である。ここで、ｎやｍは任意の値であり、いずれの配置であっても２台以上のテレビジョン受信装置で構成されることを前提とする。また、テレビジョン受信装置の配置は、ここで示したものに限らず、三角形状、五角形状、任意の形状に配置されるものであっても構わない。以下、複数のテレビジョン受信装置を、図１（Ｂ）の形状に配置したテレビジョン受信システムをエンラージＴＶシステムと呼ぶことにする。
【００１６】
上記のテレビジョン受信システムでは、ＨＤＭＩネットワークをコントロールするテレビジョン受信装置をホストデバイスと言うが、このホストデバイスとして認識されるテレビジョン受信装置のことを以下ではメインＴＶと呼び、その他のテレビジョン受信装置をサブＴＶと呼ぶことにする。このメインＴＶは、図１のように配置されたテレビジョン受信装置のうちいずれのものであってもよい。
そして、メインＴＶから供給されるデジタル映像信号は、ＨＤＭＩケーブルを介してサブＴＶで受信され、サブＴＶは受信したデジタル映像信号を出力することができる。
【００１７】
図２は、本実施形態に係るテレビジョン受信装置１０の構成を示すブロック図である。このテレビジョン受信装置１０は、テレビジョン放送信号を受信する機能と、ＨＤＭＩ規格に準拠したデジタル信号および制御信号を送受信する機能とを有している。
すなわち、テレビジョン放送信号は、アンテナで受信され、入力コネクタ１１を介してテレビジョン信号処理部１２に供給される。このテレビジョン信号処理部１２は、入力されたテレビジョン放送信号からチューナ１２ａにより所定のチャンネルの信号を取り出し、信号処理部１２ｂにより映像信号と音声信号とを復元して、それぞれ選択部１５に出力している。以下の説明では、表示される映像をテレビジョン放送信号とするが、ＡＶ機器等の外部機器から取り込んだ映像を対象とすることも可能である。
【００１８】
また、他のテレビジョン受信装置からＨＤＭＩ規格に準拠したＨＤＭＩケーブルを介して供給される当該テレビジョン受信装置宛のデジタル信号は、ＨＤＭＩコネクタ１３ａで受信され、ＨＤＭＩ信号処理部１４に供給される。このＨＤＭＩ信号処理部１４は、入力されたＨＤＭＩ規格に準拠したデジタル信号から、映像信号と音声信号とを復元して、選択部１５に出力し、制御信号を制御部２２に出力している。
また、他のテレビジョン受信装置からＨＤＭＩ規格に準拠したＨＤＭＩケーブルを介して供給される当該テレビジョン受信装置宛以外のデジタル信号は、ＨＤＭＩコネクタ１３ｂからＨＤＭＩケーブルを介して接続されたテレビジョン受信装置へ転送される。
【００１９】
また、制御部２２から他のテレビジョン受信装置へ出力される制御信号は、ＨＤＭＩ信号処理部１４に供給される。このＨＤＭＩ信号処理部１４は、供給された制御信号を上述したＣＥＣプロトコルに準拠した制御信号へ変換して、ＨＤＭＩコネクタ１３ｂおよびＨＤＭＩケーブルを介して他のテレビジョン受信装置に出力している。
【００２０】
そして、制御部２２は、テレビジョン放送信号の受信が選択されていると、テレビジョン信号処理部１２を制御するとともに、このテレビジョン信号処理部１２から出力される映像信号および音声信号を選択するように選択部１５を制御する。また、制御部２２は、ＨＤＭＩ規格に準拠したデジタル信号の受信が選択されていると、ＨＤＭＩ信号処理部１４の動作設定を行うとともに、このＨＤＭＩ信号処理部１４から出力される映像信号および音声信号を選択するように選択部１５を制御する。
【００２１】
選択部１５は、テレビジョン信号処理部１２から出力される映像信号および音声信号と、ＨＤＭＩ信号処理部１４から出力される映像信号および音声信号とを、制御部２２からの制御に応じて選択的に切り換えて出力し、映像信号を映像処理部１８に供給し、音声信号を音声処理部１６に供給する。
そして映像処理部１８で映像の拡大、縮小あるいはノイズ除去などを処理された映像信号と、ＯＳＤ（On Screen Display）信号生成部１９で生成されたＯＳＤ信号とを合成部２０へ供給し、合成部２０は映像信号とＯＳＤ信号とを重畳してディスプレイ２１に供給し、また、音声処理部１６で処理された音声信号をスピーカ１７に供給し、映像および音声が再生される。
【００２２】
制御部２２は、上記した各種の送受信動作を含むテレビジョン受信装置１０の大部分の動作を制御する。この制御部２２は、ＣＰＵ（Central Processing Unit）等を内蔵したマイクロプロセッサでなり、記憶部２５を利用して、操作部２３からの操作情報を受け、あるいは、リモートコントローラ（以下、リモコンという）２６から送出された操作情報を受信部２４を介して受信し、その操作内容が反映されるように各部をそれぞれ制御する。
記憶部２５は、主として、制御部２２のＣＰＵが実行する制御プログラムを格納した読み出し専用メモリと、該ＣＰＵに作業エリアを提供する読み出し書き込みが可能なメモリと、各種の設定情報および制御情報等が格納される不揮発性メモリとを含んでいる。
【００２３】
リモコン２６には、主として、電源キー、放送チャンネルのダイレクト選局キー、クイックキー、チャンネルアップダウンキー、十字キー、決定キー、番組表キー、終了キー、戻るキー、色キー（青，赤，緑，黄）、音量調整キー、メニューキー等の他に、レコーダへのダイレクトキー（記録・再生）、コネクト選択キー（録画リスト、メディア切換、マルチ画面、操作切換、全体拡大、機器一覧表示等）が設けられており、各キーが押されると、押されたキーに関する情報を操作情報として受信部２４に送出する。
【００２４】
ＨＤＭＩ規格は、テレビジョン受信装置はホストデバイスとして考えられ、その他のＡＶ機器（例えば、アンプやレコーダ等）を制御する仕組みである。このホストデバイスにＡＶ機器（例えば、アンプやレコーダ等）が接続されると、ＡＶ機器がホストデバイスに問い合せして、ホストデバイスによって論理アドレスおよび物理アドレスを振り分けられて、ホストデバイスから各ＡＶ機器が制御できるようになる。
したがって、２台以上のテレビジョン受信装置をＨＤＭＩネットワークに追加する仕組みが必要になる。
【００２５】
次に、図３のフローチャートを用いて、サブＴＶの登録処理を説明する。
一般に、テレビジョン受信装置はホストデバイスとして認識されるようなデータを記憶部２５に記憶させてある。しかし、２台以上のテレビジョン受信装置をＨＤＭＩネットワークに追加するときには、ホストデバイスの選択メニューを開き、このメニューの選択項目（「ホストデバイス」と「ホストデバイスでない一般の機器」）から「ホストデバイスではない一般の機器」を選択し、記憶部２５に選択結果を記憶させる（ステップＳ１１）。
【００２６】
この選択が行われると、サブＴＶの制御部２２では、記憶部２５を参照して「サブＴＶ（一般の機器）」が設定されているか否かを調べ、「サブＴＶ」が設定されていないと判断した場合（Ｓ１２／ＮＯ）、「メインＴＶ（ホストデバイス）」として、通常のテレビジョンの動作を継続する（ステップＳ１３）。
一方、サブＴＶの制御部２２では、「サブＴＶ」が設定されていると判断した場合（Ｓ１２／ＹＥＳ）、ＣＥＣのベンダコマンドで「サブＴＶ登録要求」をメインＴＶへ送信し（ステップＳ１４）、メインＴＶから登録通知を受信するのを待つ。
【００２７】
メインＴＶの制御部２２は、サブＴＶからの「サブＴＶ登録要求」を受信する（ステップＳ２１）。
メインＴＶの制御部２２は、受信したサブＴＶのサブＴＶ要求が登録可能か否かを調べ、登録が不可の場合（ステップＳ２２／ＮＯ）には、ＣＥＣのベンダコマンドで「サブＴＶ登録失敗」をサブＴＶへ送信し（ステップＳ１４）、次の指示を待つ。
サブＴＶの制御部２２は、メインＴＶからの登録通知を受信し（ステップＳ１５）、登録失敗の通知であれば（ステップＳ１６／ＮＯ）、「サブＴＶ接続」ではないとして、通常のテレビジョンの動作を継続する（ステップＳ１３）。
【００２８】
一方、メインＴＶの制御部２２は、受信したサブＴＶの登録が可能の場合（ステップＳ２２／ＹＥＳ）には、ＣＥＣのベンダコマンドで「サブＴＶ登録成功」をサブＴＶへ送信し（ステップＳ２４）、次いで、サブＴＶに対してＣＥＣコマンドで物理アドレス要求を行って、サブＴＶからその物理アドレスを受信することによって、以後の制御ができるようになり（ステップＳ２５）、次の指示を待つ。
【００２９】
サブＴＶの制御部２２では、メインＴＶからの登録通知を受信し（ステップＳ１５）、登録成功の通知であれば（ステップＳ１６／ＹＥＳ）、メインＴＶからの物理アドレス要求に対して、自分の物理アドレスを計算して返信する（ステップＳ１７）。
さらに、サブＴＶの制御部２２では、リモコン２６からの送信を一切受け付けないように受信部２４に指示し（ステップＳ１８）、スタンバイモードへ移行させる（ステップＳ１９）。
【００３０】
このように、サブＴＶとして登録ができたときには、リモコンなどによる動作を一切受け付けないようにしたため、サブＴＶからの操作がメインＴＶや他のサブＴＶの動作に影響を与えなくなる。
【００３１】
次に、本実施形態のテレビジョン受信システムは、メインＴＶのマルチ画面表示のうち、現在操作可能な画面をアクティブ画面とし、このアクティブ画面をメインＴＶに表示させ、その他のマルチ画面をそれぞれサブＴＶに表示する機能を有している。
【００３２】
このマルチ画面をメインＴＶとサブＴＶに表示する指示は、リモコンのマルチ画面キーを押すことによってできるようになっている。
ユーザがリモコン２６のマルチ画面キーを押した場合、メインＴＶにはアクティブ画面が表示され、アクティブ画面以外の他のマルチ画面の内容は、各画面に対応するサブＴＶに送られて、そのサブＴＶの画面に表示される。
【００３３】
マルチ画面キーが押されたときの処理を図４のフローチャートを用いて説明する。
ユーザがマルチ画面キーを押すと、メインＴＶの制御部２２はそのキーが押されたか否かを検出する。
メインＴＶの制御部２２は、マルチ画面キーが押されたことを検出すると（ステップＳ３１）、このメインＴＶのＨＤＭＩネットワークにサブＴＶが登録されているか否かを調べ、登録されていなければ（ステップＳ３２／ＮＯ）、通常のマルチ画面処理を継続する（ステップＳ３３）。
【００３４】
一方、このメインＴＶのＨＤＭＩネットワークにサブＴＶが登録されていれば（ステップＳ３２／ＹＥＳ）、登録されたサブＴＶの中から１つのサブＴＶを割り当てて、ＣＥＣのベンダコマンドで、「起動と入力切換要求」をこのサブＴＶへ送信する（ステップＳ３３）。
そして、メインＴＶの制御部２２は、「起動と入力切換要求」の完了通知を受信すると（ステップＳ３５）、アクティブ画面をメインＴＶのディスプレイ２１へ表示する（ステップＳ３６）。
【００３５】
一方、サブＴＶの制御部２２は、メインＴＶから「起動と入力切換要求」を受信する（ステップＳ４１）と、サブＴＶを動作モードに移行させ（ステップＳ４２）、メインＴＶの出力をサブＴＶの入力に切り換え（ステップＳ４３）、音声をミュートにし（ステップＳ４４）、「起動と入力切換要求」の完了通知を送信する（ステップＳ４５）。
【００３６】
さらに、上述したマルチ画面表示を行っているときに、リモコンの操作切換キーを押すことによって、メインＴＶをサブＴＶのいずれかに切り換えられる。例えば、メインＴＶにおいて、操作切換キーを押すと、メインＴＶを新しいサブＴＶにし、サブＴＶを新しいメインＴＶに切り換えることができる。
【００３７】
操作切換キーが押されたときの処理を図５のフローチャートを用いて説明する。
ユーザがマルチ画面モードで操作切換キーを押すと、メインＴＶの制御部２２はそのキーが押されたか否かを検出する。
メインＴＶの制御部２２は、操作切換キーが押されたことを検出すると（ステップＳ５１）、このメインＴＶのＨＤＭＩネットワークにサブＴＶが登録されているか否かを調べ、登録されていなければ（ステップＳ５２／ＮＯ）、通常の操作切換処理を継続する（ステップＳ５３）。
【００３８】
一方、メインＴＶの制御部２２は、ＨＤＭＩネットワークにサブＴＶが登録されていれば（ステップＳ５２／ＹＥＳ）、リモコン２６からの送信を一切受け付けないように受信部２４に指示し（ステップＳ５４）、音声をミュートにし（ステップＳ５５）、アクティブ画面の表示を消去し（ステップＳ５６）、登録されたサブＴＶの中から１つのサブＴＶを割り当てて新しいメインＴＶとして、ＣＥＣのベンダコマンドでその新しいメインＴＶへ「ホスト交代要求」を送信する（ステップＳ４５）。
さらに、メインＴＶの制御部２２は、サブＴＶが２つ以上ある場合には、新しいメインＴＶとなったサブＴＶ以外のサブＴＶに対して、「ホスト交代通知」を送信する（ステップＳ５８）。
【００３９】
次に、新しいメインＴＶの制御部２２は、メインＴＶから「ホスト交代要求」を受信すると（ステップＳ７１）、アクティブ画面をディスプレイへ表示し（ステップＳ７２）、音声を出力し（ステップＳ７３）、リモコン２６からの送信を受け付けるように受信部２４に指示し（ステップＳ７４）、「ホスト交代完了通知」を返信する（ステップＳ７５）。
【００４０】
メインＴＶの制御部２２は、新しいメインＴＶから「ホスト交代完了通知」を受信すると（ステップＳ５９）、新しいメインＴＶに対して「サブＴＶ登録要求」を送信し（ステップＳ６０）、「サブＴＶ登録完了通知」を受信すると、メインＴＶは新しいサブＴＶとして登録される（ステップＳ６１）。
【００４１】
新しいメインＴＶの制御部２２は、サブＴＶからの「サブＴＶ登録要求」を受信する（ステップＳ７６）。
新しいメインＴＶの制御部２２は、受信したサブＴＶ要求によりサブＴＶ登録を行って（ステップＳ７７）、ＣＥＣのベンダコマンドで「サブＴＶ登録完了通知」を返信し（ステップＳ７８）、次いで、サブＴＶに対してＣＥＣコマンドで物理アドレス要求を行って、サブＴＶからその物理アドレスを受信することによって、以後の制御ができるようになる（ステップＳ７９、Ｓ６２，Ｓ８４）。
【００４２】
また、他のサブＴＶの制御部２２は、ＨＤＭＩ信号処理部１４を介してメインＴＶから「ホスト交代通知」を受信すると（ステップＳ８１）、新しいメインＴＶに対して「サブＴＶ登録要求」を送信し（ステップＳ８２）、「サブＴＶ登録完了通知」を受信すると、サブＴＶは新しいメインＴＶのサブＴＶとして再登録される（ステップＳ８３）。
【００４３】
さらに、マルチ画面が表示されている状態で終了キーが押されると、マルチ画面表示を終了して、メインＴＶに割り当てられている画面以外に対応するサブＴＶをスタンバイモードにするとともに、リモコンを受け付けなくすることにより、元の単画面による通常の動作に戻される。
【００４４】
上記の実施形態の説明では、マルチ画面キーを用いることにより、マルチ画面の表示内容をサブＴＶに表示していた。
この変形例として、映像とこれに関連する静止画面や字幕等を重畳して表示したり、映像を親画面に、その映像に関連する静止画面や字幕等を子画面に表示するのであれば、マルチ画面キーを押した後、親画面に表示する映像をメインＴＶに表示し、子画面に表示する関連情報をサブＴＶに表示するものとしてもよい。
【００４５】
さらに、本実施形態のテレビジョン受信システムをエンラージＴＶシステムとした場合、メインＴＶの映像を拡大して表示することができる。
例えば、図６（Ａ）に例示したような９台のテレビジョン受信装置を縦と横にそれぞれ３台ずつ配置し、メインＴＶをＡ１１、その他の８台をサブＴＶとしたエンラージＴＶシステムの場合、ユーザがリモコンの全体拡大キーを押すことによって、Ａ１１のメインＴＶに表示されている映像を、９台を１台に見立てた１画面とした全体拡大処理が開始される。
ここで、メインＴＶは、Ａ１１のような場所に限定されるものではなく、上記の「ホストデバイスの交代処理」によって、随時変更することができる。
【００４６】
全体拡大キーが押されたときの処理を図７のフローチャートを用いて説明する。
メインＴＶに放送番組の映像が表示されているときに、メインＴＶの制御部２２は、全体拡大キーが押されたことを検出すると、全てのサブＴＶのそれぞれに対して、ＣＥＣのベンダコマンドにより「拡大範囲と拡大率」を送信する（ステップＳ９１）。
【００４７】
例えば、９台のテレビジョン受信装置を図６（Ａ）のように３×３の矩形状に配置した場合、メインＴＶの画面を９台のそれぞれに対応するように分割する。この例では、図６（Ｂ）のように３×３に分割する。すると、テレビＡｉｊの画面には、分割されたａｉｊの範囲の映像を縦３倍、横３倍にして表示される。したがって、この「拡大範囲」とは、分割された画面ａｉｊの範囲（例えば、分割画面の左上の座標と右下の座標）をさす。また、「拡大率」とは、縦と横の分割数のことである。
また、サブＴＶのいずれかがスタンバイモードとなっていた場合には、そのサブＴＶに動作モードとなるようなＣＥＣコマンドを送る。
【００４８】
次に、メインＴＶの制御部２２は、チューナ１２ａで選局中の放送信号を全てのサブＴＶへ転送し（ステップＳ９２）、映像処理部１８において選局中の放送信号の映像の中から、メインＴＶに表示すべき「拡大範囲」内の映像を取り出して、取り出した映像を「拡大率」で拡大して（ステップＳ９３）、合成部２０を経てディスプレイ２１へ表示させる（ステップＳ９４）。
【００４９】
そして、リモコン２６の終了キーの押下を検出したとき（ステップＳ９５／ＹＥＳ）、全てのサブＴＶに対して全体拡大処理の終了をＣＥＣのベンダコマンドで通知し、全体拡大処理を終了させて、通常の倍率での表示に戻る（ステップＳ９６）。
【００５０】
また、リモコン２６の操作切換キーの押下を検出したとき（ステップＳ９７／ＹＥＳ）、交代すべきサブＴＶを入力し、その入力したサブＴＶに対して「ホスト交代要求」を出す（ステップＳ９８）。このホスト交代要求処理は、図５のフローチャートに例示した処理が行われ、この処理が終了すると、以後はサブＴＶとして動作することになる。
そして、全体拡大処理を継続するときには（ステップＳ９７／ＮＯ）、ステップＳ９２に戻る。
【００５１】
次に、サブＴＶの制御部２２は、メインＴＶから自分宛の「拡大範囲と拡大率」を受信すると、これらを映像処理部１８に設定し（ステップＳ１０１）、次に転送されてきた映像を受信し、選択部１５を制御して映像処理部１８へ供給する（ステップＳ１０２）。
サブＴＶの映像処理部１８は、先に記憶していた「拡大範囲」内の映像を取り出して、取り出した映像を「拡大率」で拡大して（ステップＳ１０３）、合成部２０を経てディスプレイ２１へ表示させ（ステップＳ１０４）、次の転送映像の処理のためにステップＳ１０２へ戻る。
【００５２】
以上のように構成することによって、メインＴＶに表示されている映像が全体拡大されて表示されることになる。
【００５３】
上述のようにエンラージＴＶシステムの全体のテレビジョン受信装置を用いて全体拡大表示を行うのであれば、「拡大範囲と拡大率」は一定の値であるから、全体拡大処理に先立って、メインＴＶからサブＴＶへ送信する必要はなく、予めサブＴＶに定数値として記憶させておいてもよい。そして、メインＴＶでは、各サブＴＶに対して全体拡大処理の開始を通知するだけでよい。
【００５４】
また、上述の場合には、エンラージＴＶシステムを構成するすべてのテレビジョン受信装置でメインＴＶの表示内容を拡大して表示していたが、これに限ったものではない。
例えば、メインＴＶの表示はそのままにして、サブＴＶだけを用いて全体拡大表示するようにしてもよい。図８のようなエンラージＴＶシステムにおいて、メインＴＶをＡ３３とし、２×２台のＡ１１，Ａ１２，Ａ２１，Ａ２２のサブＴＶによって、メインＴＶの映像を２×２倍に全体拡大して表示するようにしてもよい。
【００５５】
また、上述の場合には、各サブＴＶで拡大処理を行うようにしたが、メインＴＶで全てのサブＴＶの拡大処理をメインＴＶにおいて施し、その拡大した映像をサブＴＶへ転送して表示させるように構成してもよい。
【００５６】
本発明は上記実施の形態に限定されるものではなく、本発明の要旨の範囲内において種々の変形実施が可能である。
また、本発明の実施形態は、上記のテレビジョン受信装置の各機能をコンピュータプログラム化し、このコンピュータプログラムをテレビジョン受信装置へインストールして実行することでも実現される。また、このコンピュータプログラムを着脱可能な記録媒体に記録したり、ネットワークを介してダウンロードすることにより、移送が簡単になり容易に実施することができる。
【図面の簡単な説明】
【００５７】
【図１】実施形態に係るテレビジョン受信システムの例である。
【図２】実施形態に係るテレビジョン受信装置の構成を示すブロック図である。
【図３】サブＴＶ登録処理を説明するフローチャートである。
【図４】マルチ画面キーが押されたときの処理を説明するフローチャートである。
【図５】操作切換キーが押されたときの処理を説明するフローチャートである。
【図６】全体拡大処理を説明するための図である。
【図７】全体拡大キーが押されたときの処理を説明するフローチャートである。
【図８】他の全体拡大処理を説明するための図である。
【符号の説明】
【００５８】
１０…テレビジョン受信装置、１１…入力コネクタ、１２…テレビジョン信号処理部、１２ａ…チューナ、１２ｂ…信号処理部、１３ａ，１３ｂ…ＨＤＭＩコネクタ、１４…ＨＤＭＩ信号処理部、１５…選択部、１６…音声処理部、１７…スピーカ、１８…映像処理部、１９…信号生成部、２０…合成部、２１…ディスプレイ、２２…制御部、２３…操作部、２４…受信部、２５…記憶部、２６…リモコン。
【図１】
2008079168.tif 000003
【図２】
2008079168.tif 000004
【図３】
2008079168.tif 000005
【図４】
2008079168.tif 000006
【図５】
2008079168.tif 000007
【図６】
2008079168.tif 000008
【図７】
2008079168.tif 000009
【図８】
2008079168.tif 000010